【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
メッセージで提供される位置情報を認証するための方法であって、
サーバが、送信コンピューティングデバイスから、前記送信コンピューティングデバイスの実際の位置に関する位置情報を含む前記送信コンピューティングデバイスの登録を受け取るステップと、
前記実際の位置の前記送信コンピューティングデバイスから受信コンピューティングデバイスへのメッセージに含まれる位置情報を、前記サーバで維持される前記送信コンピューティングデバイスの前記実際の位置に関する前記位置情報と比較するステップと、
前記比較に基づいて前記位置情報を認証するステップと、
を含む方法。
【請求項２】
前記比較に基づいて前記位置情報を認証するステップは、
前記メッセージに含まれる前記位置情報とサーバで維持される前記送信コンピューティングデバイスの前記実際の位置に関する前記位置情報との差が規定閾値内であるか否かを判定するステップと、
前記メッセージに含まれる前記位置情報とサーバで維持される前記送信コンピューティングデバイスの前記実際の位置に関する前記位置情報との前記差が前記規定閾値内にあるとき、前記メッセージに含まれる前記位置情報を認証するステップと、
を含む、請求項1に記載の方法。
【請求項３】
前記サーバが、前記サーバで維持される前記送信コンピューティングデバイスの前記実際の位置に関する前記位置情報に対する要求を前記送信コンピューティングデバイスから受け取るステップと、
前記要求に応じて前記サーバで維持される前記送信コンピューティングデバイスの前記実際の位置に関する前記位置情報を前記サーバから前記送信コンピューティングデバイスに送るステップと、をさらに含み、
送信コンピューティングデバイスからの前記メッセージに含まれる位置情報を前記サーバで維持される前記送信コンピューティングデバイスの前記実際の位置に関する情報と比較するステップ、および前記比較に基づいて前記位置情報を認証するステップは、前記メッセージを前記受信コンピューティングデバイスに送信する前に、前記送信コンピューティングデバイスで実行される、
請求項1に記載の方法。
【請求項４】
前記サーバが、前記サーバで維持される前記送信コンピューティングデバイスの前記実際の位置に関する前記位置情報に対する要求を前記受信コンピューティングデバイスから受け取るステップと、
前記要求に応じて前記サーバで維持される前記送信コンピューティングデバイスの前記実際の位置に関する前記位置情報を前記サーバから前記受信コンピューティングデバイスに送るステップと、をさらに含み、
送信コンピューティングデバイスからの前記メッセージに含まれる位置情報を前記サーバで維持される前記送信コンピューティングデバイスの前記実際の位置に関する情報と比較するステップ、および前記比較に基づいて前記位置情報を認証するステップは、前記受信コンピューティングデバイスで実行される、
請求項1に記載の方法。
【請求項５】
プロキシサーバが、前記送信コンピューティングデバイスから前記メッセージを受け取るステップと、
前記サーバが、前記サーバで維持される前記送信コンピューティングデバイスの前記実際の位置に関する前記位置情報に対する要求を前記プロキシサーバから受け取るステップと、
前記サーバから前記プロキシサーバに、前記サーバで維持される前記送信コンピューティングデバイスの前記実際の位置に関する前記位置情報を含む応答を提供するステップと、
前記送信コンピューティングデバイスによって提供される前記位置情報と、前記サーバで維持される前記送信コンピューティングデバイスの前記実際の位置に関する前記位置情報とを含む前記送信コンピューティングデバイスからのメッセージを前記プロキシサーバから受信コンピューティングデバイスに提供するステップと、をさらに含み、
前記送信コンピューティングデバイスからの前記メッセージに含まれる位置情報を前記サーバで維持される前記送信コンピューティングデバイスの前記実際の位置に関する情報と比較するステップ、および前記比較に基づいて前記位置情報を認証するステップは、前記プロキシサーバから受け取られた情報に基づいて前記受信コンピューティングデバイスで実行される、
請求項1に記載の方法。
【請求項６】
プロキシサーバが、前記送信コンピューティングデバイスから前記メッセージを受け取るステップと、
前記サーバが、前記サーバで維持される前記送信コンピューティングデバイスの前記実際の位置に関する前記位置情報に対する要求を前記プロキシサーバから受け取るステップと、
前記要求に応じて前記サーバで維持される前記送信コンピューティングデバイスの前記実際の位置に関する前記位置情報を前記サーバから前記プロキシサーバに送るステップであって、前記送信コンピューティングデバイスからの前記メッセージに含まれる位置情報をサーバで維持される前記送信コンピューティングデバイスの前記実際の位置に関する情報と比較するステップ、および前記比較に基づいて前記位置情報を認証するステップは前記プロキシサーバで実行されるステップと、
認証された位置情報を含む前記送信コンピューティングデバイスからの前記メッセージを前記プロキシサーバから前記受信コンピューティングデバイスに提供するステップと、
をさらに含む、請求項1に記載の方法。
【請求項７】
認証された位置情報を含む前記送信コンピューティングデバイスからの前記メッセージを前記プロキシサーバから前記受信コンピューティングデバイスに提供するステップは、前記送信コンピューティングデバイスが、前記受信コンピューティングデバイスに提供される前記メッセージにおいて、前記メッセージに含まれる前記位置情報に代えて、サーバに維持される前記送信コンピューティングデバイスの前記実際の位置に関する前記位置情報を使用するステップを含む、請求項6に記載の方法。
【請求項８】
前記サーバが、前記メッセージに含まれる位置情報を含む前記受信コンピューティングデバイスからの照会を受け取るステップであって、実際の位置の送信コンピューティングデバイスから受信コンピューティングデバイスまでの前記メッセージに含まれる位置情報をサーバで維持される前記送信コンピューティングデバイスの前記実際の位置に関する情報と比較するステップは、前記サーバが、前記受信コンピューティングデバイスから受け取られた前記メッセージに含まれる前記位置情報を前記サーバで維持される前記送信コンピューティングデバイスの前記実際の位置に関する前記位置情報と比較するステップと、
前記比較に基づいて前記位置情報を認証するステップは、前記照会に応じて、前記サーバで維持される前記送信コンピューティングデバイスの前記実際の位置を有する前記メッセージに含まれる前記位置情報の前記比較の結果である前記受信コンピューティングデバイスに指示を提供するステップと、
をさらに含む、請求項1に記載の方法。
【請求項９】
送信コンピューティングデバイスから受信コンピューティングデバイスへのメッセージで提供される位置情報を認証するための装置であって、
実際の位置の前記送信コンピューティングデバイスから前記受信コンピューティングデバイスへ送られるメッセージに含まれる位置情報を、サーバで維持される前記送信コンピューティングデバイスの前記実際の位置に関する前記位置情報と比較するための手段であって、前記位置情報は、前記送信コンピューティングデバイスの登録中に前記送信コンピューティングデバイスから受信されたものである、手段と、
前記比較に基づいて前記位置情報を認証するための手段と、
を含む装置。
【請求項１０】
実際の位置の前記送信コンピューティングデバイスから前記受信コンピューティングデバイスへ送られるメッセージに含まれる位置情報をサーバで維持される前記送信コンピューティングデバイスの前記実際の位置に関する前記位置情報と比較するための手段は、前記メッセージに含まれる前記位置情報と前記サーバで維持される前記送信コンピューティングデバイスの前記実際の位置に関する前記位置情報との差が規定閾値内か否かを判定するための手段を含み、
前記比較に基づいて前記位置情報を認証するための手段は、前記メッセージに含まれる前記位置情報と前記サーバで維持される前記送信コンピューティングデバイスの前記実際の位置に関する前記位置情報との差が前記規定閾値内であるとき、前記メッセージに含まれる前記位置情報を認証するための手段を含む、
請求項9に記載の装置。
【請求項１１】
前記装置は、前記送信コンピューティングデバイスまたは前記受信コンピューティングデバイスである、請求項9または10に記載の装置。
【請求項１２】
前記装置は、プロキシサーバである、請求項9または10に記載の装置。
【請求項１３】
前記装置は、前記サーバである、請求項9または10に記載の装置。
【請求項１４】
前記プロキシサーバは、動作を行うためのサーバ実行可能命令によってさらに構成され、前記動作は、
前記送信コンピューティングデバイスから前記メッセージを受け取るステップと、
前記サーバで維持される前記送信コンピューティングデバイスの前記実際の位置に関する前記位置情報に対する要求を前記サーバに送るステップと、
前記サーバで維持される前記送信コンピューティングデバイスの前記実際の位置に関する前記位置情報を含む前記サーバからの応答を受け取るステップと、
を含む、請求項12に記載の装置。
【請求項１５】
前記サーバは、動作を行うためのサーバ実行可能命令によってさらに構成され、前記動作は、
前記送信コンピューティングデバイスの前記実際の位置に関する位置情報を含む前記送信コンピューティングデバイスの登録を受け取り、前記位置情報をメモリに記憶するステップと、
前記メッセージに含まれる前記送信コンピューティングデバイスの位置に関する情報を含む前記受信コンピューティングデバイスからの照会を受け取るステップと、
を含む、請求項13に記載の装置。